(57)【要約】  本発明は、チャンネルにおいてバーストとしてコンテンツを送信するように構成された送信装置に関する。前記チャンネルは複数のバーストを含み、１つのバーストは少なくとも１つの時間スロットを含む。前記送信装置は、第１のネットワークからコンテンツを受信する第１の通信手段と、第２のネットワークに前記コンテンツを送信する第２の通信手段であって、前記コンテンツを前記チャンネルの前記バーストの少なくとも１つの時間スロットにより続けて送信する第２の通信手段と、第２のネットワークにある少なくとも１つの第２の送信装置に、チャンネルと、前記チャンネルの前記バースト中の少なくとも１つの使っていない時間スロットとを割り当てる時間スロット手段と、前記少なくとも１つの第２の送信装置に、前記チャンネルと前記使っていない時間スロットとを知らせるシグナリング手段とを有する。
2011524118.tif 000002
【特許請求の範囲】
【請求項１】
チャンネルにおいてバーストとしてコンテンツを送信するように構成された送信装置であって、前記チャンネルは複数のバーストを含み、１つのバーストは少なくとも１つの時間スロットを含み、
前記送信装置は、
第１のネットワークからコンテンツを受信する第１の通信手段と、
第２のネットワークに前記コンテンツを送信する第２の通信手段であって、前記コンテンツを前記チャンネルの前記バーストの少なくとも１つの時間スロットにより続けて送信する第２の通信手段と、
チャンネルと、前記チャンネルの前記バースト中の少なくとも１つの使っていない時間スロットとを、前記第２のネットワークにある少なくとも１つの第２の送信装置に割り当てるスロット管理手段であって、前記少なくとも１つの第２の送信装置はチャンネルにおいてバーストでコンテンツを送信するように構成されたスロット管理手段と、
前記少なくとも１つの第２の送信装置に前記チャンネルと前記使っていない時間スロットとを知らせるシグナリング手段とを有する、送信装置。
【請求項２】
チャンネルにおいてバーストとしてコンテンツを送信するように構成された送信装置であって、前記チャンネルは複数のバーストを含み、１つのバーストは少なくとも１つの時間スロットを含み、
前記送信装置は、
チャンネルにおけるバースト中にコンテンツを送信するように構成された第１の送信装置から、チャンネルと、前記チャンネルの前記バースト中の少なくとも１つの使っていない時間スロットとを割り当てられ、チャンネルにおけるバースト中にコンテンツを送信するように構成された少なくとも１つの第２の送信装置に、前記少なくとも１つの使っていない時間スロットの第１の部分を割り当てるスロット管理手段と、
前記少なくとも１つの第２の送信装置に、前記チャンネルと前記少なくとも１つの使っていない時間スロットの前記部分とを知らせるシグナリング手段と、
第１のネットワークから第１のコンテンツを受信する第１の通信手段と、
第２のネットワークに前記コンテンツを送信する第２の通信手段であって、前記コンテンツを前記少なくとも１つの時間スロットの第２の部分により送信する第２の通信手段と、を有する、送信装置。
【請求項３】
チャンネルにおいてバーストとしてコンテンツを送信するように構成された送信装置であって、前記チャンネルは複数のバーストを含み、１つのバーストは少なくとも１つの時間スロットを含み、
前記送信装置は、
第１の送信装置から、チャンネルと、前記チャンネルの前記バースト中の少なくとも１つの使っていない時間スロットとを割り当てられるスロット管理手段であって、前記第１の送信装置はチャンネルにおいてバーストでコンテンツを送信するように構成されたスロット管理手段と、
第１のネットワークから第１のコンテンツを受信する第１の通信手段と、
第２のネットワークに前記コンテンツを送信する第２の通信手段であって、前記コンテンツを前記少なくとも１つの時間スロットの第２の部分により送信する第２の通信手段と、を有する、送信装置。
【請求項４】
前記装置はそれぞれＤＶＢ−Ｈ  ＩＰエンカプスレータであり、前記第２のネットワークはＤＶＢ−Ｈネットワークであることを特徴とする、
請求項１乃至３いずれか一項に記載の送信装置。
【請求項５】
前記第２の通信手段はＤＶＢ−Ｈ時間スライステクニックを用いてコンテンツを送信することを特徴とする、
請求項４に記載の送信装置。
【請求項６】
前記第１の通信手段はインターネットプロトコルにより前記第１のコンテンツを受信することを特徴とする、
請求項４または５に記載の送信装置。
【請求項７】
前記第２の通信手段は、前記第１のネットワークにある第１の送信装置からコンテンツを受信し、前記第２のネットワークに前記コンテンツを転送することを特徴とする、
請求項２または３に記載の送信装置。
【発明の詳細な説明】
【技術分野】
【０００１】
本発明は概してコンテンツ配信に関し、特にコンテンツを配信するフレキシブルなシステムに関する。
【背景技術】
【０００２】
このセクションは、以下に説明して特許を請求する本発明の様々な態様に関連する様々な態様の技術を読者に紹介することを意図するものである。この説明は、本発明の様々な態様の理解を容易にする背景情報を読者に提供する役に立つと思われる。従って、言うまでもなくこれらの記載は上記を考慮して読むべきであり、先行技術として認める（admissions  of  prior  art）ものではない。
【０００３】
デジタルビデオ放送−地上波は、ＤＶＢ−Ｔと記すこともあるが、デジタル地上波テレビジョンの送信のための標準である。これは、標準ドキュメントＥＴＳＩ  ＥＮ  ３００  ７４４:「デジタルビデオ放送（ＤＶＢ）；デジタル地上波テレビジョン（ＤＶＢ−Ｔ）のためのフレーム構造、チャンネル符号化及び変調」で規定されている。
【０００４】
デジタル地上波ＴＶでは、ＤＶＢ−Ｈは、移動端末（ハンドヘルド端末とも呼ぶ）にサービス配信を放送するＤＶＢ−Ｔの拡張である。ＤＶＢ−Ｈは、パワー消費を削減し信頼性を高める手段を主に規定している。これは、標準ドキュメントＥＴＳＩ  ＥＮ  ３０２  ３０４  Ｖ１．１．１  （２００４-１１）「デジタルビデオ放送（ＤＶＢ）；ハンドヘルド端末（ＤＶＢ−Ｈ）のための送信システム」に規定されている。ＤＶＢ−Ｔに対するＤＶＢ−Ｈの違いは、ビデオとオーディオをインターネットプロトコルパケット（ＩＰパケット）でトランスポートすることである。ＤＶＢ−Ｈのペイロードは、マルチプロトコルエンカプスレーションセクションにカプセル化されたＩＰデータグラムまたは他のネットワークレイヤデータグラムにより構成されている。ＤＶＢ−Ｈは、端末の平均パワー消費を低減し、スムースでシームレスな周波数ハンドオーバーを可能とするため、時間スライス化を導入する。
【０００５】
時間スライステクニックは、ＥＴＳＩ標準ＥＮ  ３０１  １９２  Ｖ１．４．１  （２００４-１１）「デジタルビデオ放送（ＤＶＢ）；データ放送のためのＤＶＢ仕様」でさらに説明されている。送信者は、時間スライス化メカニズムを用いて、最大ビットレートを用いて複数の受信器にバーストを送信する。時間スライス化は、データを従来のストリーミングメカニズムを用いて送信するときに必要なビットレートよりも高い瞬間ビットレートを用いて、バーストでデータを送信するものである。１つのバーストは複数のセクションを有する。受信器に次のバーストがいつ来るか知らせるため、バーストの各セクションに次のバーストの始めまでの時間Δｔを示す。
【０００６】
時間スライス化により、受信器は、要求したサービスのバーストを受信する時だけアクティブであればよい。ＤＶＢ−Ｈ受信器は、同じサービス／ストリームに属するバースト間で、パワーを節約するために受信部をスイッチオフしてもよい。端末は、例えばＴＶサービスに同調した時、受信部が常にオン状態であるＤＶＢ−Ｔチューナと比較して、８％のパワーを節約できる。時間スライスした複数のバーストをセットとして、以下ＤＶＢ−Ｈチャンネルと呼ぶ。時間スライスにより、受信器は、サービスを受信するＤＶＢ−Ｈチャンネルを選択でき、他のＤＶＢ−Ｈチャンネルを聞かなくてもよい。
【０００７】
信頼性の向上は前方誤り訂正（ＦＥＣ）メカニズムを用いて行う。ビデオサービスなどの各サービスは、１つのセクションに関連付け、一方、サービスガイド情報やメタデータは専用のセクションで送信する。時間スライスとＦＥＣとを用いてコンテンツを送信する装置は、ＩＰエンカプスレータ（ＩＰＥ）と呼ばれる。
【０００８】
図１は、ＥＴＳＩ  ＴＲ  １０２  ４６９  Ｖ１．１．１  （２００６-０５）「デジタルビデオ放送（ＤＶＢ）；ＤＶＢ−ＨによるＩＰデータキャスト：アーキテクチャ」に準拠したＤＶＢ−Ｈ配信システムを表す。このシステムは、ビデオコンテンツサーバ１とＤＶＢ−Ｈ  ＩＰエンカプスレータ（ＩＰＥ）２とを有する。ビデオコンテンツサーバはＤＶＢ−Ｈ配信システムの当業者に知られた態様でＩＰＥに接続されている。ＩＰＥは、ＤＶＢ−Ｈ配信ネットワーク３を介してリージョナルＤＶＢ−Ｈ送信システム４に、ＤＶＢ−Ｈコンテンツを送信する。１つのＩＰＥだけがネットワーク全体にサービスする。ＩＰＥは一般的にその国のヘッドエンドオフィスにある。すべてのＤＶＢ−Ｈサービスは、リージョナルサービスやローカルサービスを含め、このＩＰＥから発せられる。
【０００９】
別のＤＶＢ−Ｈ配信システムは、ホワイトペーパー「ＤＶＢ−ＨモバイルＴＶフレキシブル衛星配信、ＵＤｃａｓｔ、２００７年１月」には記載されていないが、複数のリージョナルエリアのセットに分散した複数のＩＰＥに基づく。ローカルにＤＶＢ−Ｈストリームを発するすべてのＩＰＥに、ＩＰストリームの形で、同じコンテンツを送信する。この送信には、すべてのＩＰＥを同期させる唯一の管理システムが必要である。すべてのＩＰＥは同じコンテンツをローカルに配信する。
【００１０】
これらの２つのアーキテクチャは最適ではない。すべてのコンテンツとサービスを、配信前に、中央のＩＰＥに送信しなければならない。そうしないと、リージョナルな配信において、その国のネットワークを同期させるのは非常に困難である。いずれにしても、ＤＶＢ−Ｈストリームは、一旦ＩＰＥで生成されてしまうと、変更することは不可能である。
【発明の概要】
【００１１】
本発明は、複数のＩＰエンカプスレータによりコンテンツ配信を非集中化するシステムを提供することにより、従来技術におけるコンテンツ配信に関する問題の少なくとも一部を緩和しようとするものである。
【００１２】
本発明は、チャンネルにおいてバーストとしてコンテンツを送信するように構成された送信装置に関する。前記チャンネルは複数のバーストを含み、１つのバーストは少なくとも１つの時間スロットを含む。前記送信装置は、第１のネットワークからコンテンツを受信する第１の通信手段と、第２のネットワークに前記コンテンツを送信する第２の通信手段であって、前記コンテンツを前記チャンネルの前記バーストの少なくとも１つの時間スロットにより続けて送信する第２の通信手段と、第２のネットワークにある少なくとも１つの第２の送信装置に、チャンネルと、前記チャンネルの前記バースト中の少なくとも１つの使っていない時間スロットとを割り当てる時間スロット手段と、前記少なくとも１つの第２の送信装置に、前記チャンネルと前記使っていない時間スロットとを知らせるシグナリング手段とを有する。
【００１３】
前記送信装置は送信装置の階層中の第１の装置である。送信装置は、コンテンツを受信し、下の階層にあるダウンストリーム送信器にチャンネルで配信する。また、送信装置は、時間スロットを確保してダウンストリーム送信器に割り当てることにより、ダウンストリーム送信器にコンテンツを挿入する機会を提供する。コンテンツは、階層中のいろいろな送信装置により提供される。オペレータは、すべての受信機に国レベルでコンテンツを配信でき、一部の受信器にローカルコンテンツを提供できる。ローカルコンテンツは、受信器があるエリアに応じて、異なってもよい。
【００１４】
本発明の他の目的は、チャンネルにおいてバーストとしてコンテンツを送信するように構成された送信装置である。前記チャンネルは複数のバーストを含み、１つのバーストは少なくとも１つの時間スロットを含む。前記送信装置は、チャンネルと、そのチャンネルのバースト中の少なくとも１つの使っていない時間スロットとを、第１の送信装置から割り当てられ、少なくとも１つの使っていない時間スロットの第１の部分を少なくとも１つの第２の送信装置に割り当てる時間スロット手段と、前記少なくとも１つの第２の送信装置に、前記チャンネルと前記少なくとも１つの使っていない時間スロットとを知らせるシグナリング手段と、第１のネットワークから第１のコンテンツを受信する第１の通信手段と、第２のネットワークに前記コンテンツを送信する第２の通信手段であって、前記コンテンツを前記少なくとも１つの使っていない時間スロットの第２の部分により送信する第２の通信手段と、を有する。
【００１５】
送信装置は階層中の中間の装置である。送信装置から時間スロットを受け取る。コンテンツを挿入し、及び／または時間スロットを他の送信装置に割り当てることができる。
【００１６】
本発明の他の目的は、チャンネルにおいてバーストとしてコンテンツを送信するように構成された送信装置である。前記チャンネルは複数のバーストを含み、１つのバーストは少なくとも１つの時間スロットを含む。前記送信装置は、第１の送信装置から、チャンネルと、そのチャンネルのバースト中の少なくとも１つの使っていない時間スロットとを割り当てられる時間スロット手段と、第１のネットワークから第１のコンテンツを受信する第１の通信手段と、第２のネットワークに前記コンテンツを送信する第２の通信手段であって、前記コンテンツを前記少なくとも１つの使っていない時間スロットの第２の部分により送信する第２の通信手段と、を有する。
【００１７】
送信装置は階層の最後の装置である。
【００１８】
一実施形態では、送信装置はＤＶＢ−Ｈ  ＩＰエンカプスレータであり、第２のネットワークはＤＶＢ−Ｈネットワークである。
【００１９】
一実施形態では、第２の通信手段はＤＶＢ−Ｈ時間スライステクニックを用いてコンテンツを送信する。
【００２０】
一実施形態では、第１の通信手段はインターネットプロトコルにより第１のコンテンツを受信する。
【００２１】
一実施形態では、第２の通信手段は、第１のネットワークにある第１の送信装置からコンテンツを受信し、第２のネットワークにそのコンテンツを転送するように構成されている。
【００２２】
開示した実施形態と同じ範囲の態様を以下に記載する。言うまでもなく、これらの態様は、読者に本発明が取り得る形態の簡単な概要を提供するためだけに記載するものであり、本発明の範囲を限定するものではない。実際、本発明は、以下に記載していない様々な態様を包含し得る。
【図面の簡単な説明】
【００２３】
本発明は、添付した図面を参照して以下の実施形態及び実施例により、よりよく理解でき、例示できるであろう。
【図１】ＤＶＢ−Ｈコンテンツ配信によるシステムの従来のブロック図である。
【図２】本実施形態によるシステムのブロック図である。
【図３】本実施形態によるシステムのブロック図である。
【図４】従来のＤＶＢ−Ｈ時間スライス構成を示す図である。
【図５】本実施形態によるＤＶＢ−Ｈ時間スライス構成を示す図である。
【図６】本実施形態によるブランチＩＰエンカプスレータ装置のブロック図である。  図３と６では、表示したブロックは純粋に機能的なものであり、必ずしも物理的なものとして分離していることを示すものではない。すなわち、これらのブロックは、ハードウェアやソフトウェアとして開発してもよいし、集積回路により実施してもよい。
【発明を実施するための形態】
【００２４】
実施形態をＤＶＢ−Ｈ配信のフレームワークで説明するが、本発明は具体的なこの環境には限定されず、コンテンツが階層的に分散した他のフレームワークに適用することも可能である。
【００２５】
ＥＴＳＩ  ＥＮ  ３０１  １９２標準によるＤＶＢ−Ｈ時間スライス設備を図４に示した。パケットを、期間が数秒（バースト継続期間）の高速バーストを用いて送信する。バーストサイズはバースト中のビット数である。バースト継続期間の値は、最大バースト継続期間以下である。最大バースト継続期間は、時間スライス・ＦＥＣ識別子記述子にある標準フィールド「最大＿バースト＿継続期間」フィールドに従う。Δｔは２つの連続したバースト、バーストＮとバーストＮ＋１との間の期間に相当する。２つのバースト間の時間はオフ時間である。バーストビットレートは一定のビットレートよりも高い。バーストは複数の時間スロットで送られる。バーストを送るように選択された複数の時間スロットのセットが時間スライスである。
【００２６】
本実施形態によるＤＶＢ−Ｈ時間スライスを図５に示す。図５は、バースト１のセットを含む第１の時間スライスを示し、連続したバースト１、Ｎとバースト１、Ｎ＋１とを示している。第２の時間スライスを示す。これは、バースト２を含み、連続したバースト２、Ｍとバースト２、Ｍ＋１とを示している。複数の時間スライスのセットはスーパー時間スライスと呼ぶ。本実施形態の時間スライスにより、複数のバーストのセットを複数送ることができる。図５には２の時間スライスのみを示したが、もちろんスーパー時間スライスが含む時間スライスは２つより多くてもよい。
【００２７】
本実施形態によるＤＶＢ−Ｈ配信システムを図２に示す。標準ＤＶＢ−Ｈ配信システムのようにＩＰＥが１つだけではなく、本実施形態による配信システムは、２レイヤの複数のＩＰＥを有する。第１のレイヤはルートＩＰＥ２１である。第２のレイヤはリージョナルＩＰＥ２２Ａと２２Ｂであり、これらはリーフＩＰＥである。図２にはＩＰＥのレイヤを２つだけ示した。もちろん、配信システムは、複数のレイヤを有し、レイヤごとに複数のＩＰＥを有していてもよい。各リージョナルＩＰＥはリージョナルビデオサーバ１Ａ、１Ｂに接続されている。リージョナルサーバは、リージョナルＩＰＥにコンテンツを提供するように構成されている。各リージョナルＩＰＥ２２Ａ、２２Ｂは、リージョナルＤＶＢ−Ｈ配信ネットワーク（図示せず）を介してＤＶＢ−Ｈリージョナル送信システム４Ａ、４ＢにＤＶＢ−Ｈコンテンツを送信する。当業者には言うまでもないが、リージョナルＩＰＥは必ずしもビデオサーバに接続されていなくてもよい。リージョナルＩＰＥは、どんなタイプのコンテンツサーバやファイルサーバに接続されてもよく、より一般的には、リージョナルＩＰＥに挿入されるコンテンツのどんなソースに接続されてもよい。
【００２８】
リージョナルＩＰＥに対して、ルートＩＰＥはアップストリームＩＰＥである。ルートＩＰＥに対して、リージョナルＩＰＥはダウンストリームＩＰＥである。アップストリームＩＰＥはスーパー時間スライスを管理する。アップストリームＩＰＥは、さらに、ダウンストリームＩＰＥが利用できる、スーパー時間スライス中の時間スロットを管理する。アップストリームＩＰＥは、自分のダウンストリームＩＰＥが利用するスーパー時間スライスを予約する。スーパー時間スライスの時間スライスの予約はＤＶＢ−Ｈ標準に即して行う。ダウンストリームＩＰＥは、アップストリームＩＰＥが予約したスーパー時間スライスにコンテンツを挿入する。ダウンストリームＩＰＥは、自分のスーパー時間スライスにおいて、自分のダウンストリームＩＰＥのために、他の小さなまたは同等なスーパー時間スライスを予約してもよい。アップストリームＩＰＥはコンテンツを挿入してもよい。
【００２９】
より一般的に、ＩＰＥ階層を図３に示した。このＩＰＥ階層は、時間スライス設備全体を規定するＩＰＥであるルートＩＰＥ２０を含む。ルートＩＰＥは、直下のダウンストリームＩＰＥに、それらがバーストを遅れるスーパー時間スライスを示す。ＩＰＥ階層はブランチＩＰＥ２１．１、２１．２も含んでいる。ブランチＩＰＥは、ルートＩＰＥでもリーフＩＰＥでもない。このＩＰＥ階層において、ブランチＩＰＥは、ルートＩＰＥとリーフＩＰＥとの間にあるＩＰＥである。リーフＩＰＥ２２．１、２２．２は、ＤＶＢ−Ｈストリームを空中送信する前のこの階層中の最後のＩＰＥである。リーフＩＰＥは、自分のストリームを、スーパー時間スライスの予約したスロットに挿入する。
【００３０】
より一般的に、ブランチＩＰＥは、送信先アドレスが自分のアドレスと一致するバーストを検出するために、受信するＤＶＢ−Ｈストリームをチェックする。ブランチＩＰＥは、自分のダウンストリームＩＰＥのために、時間スロットの全部または一部を再び予約する、及び／またはローカル挿入のために、予約したスロットの一部を使用する。ブランチＩＰＥは、ルートＩＰＥと同じ機能を、自分のアップストリームＩＰＥが示した時間スロットで実行する。
【００３１】
本実施形態によるＩＰＥはＥＴＳＩ  ＴＲ  １０２  ４６９に準拠している。また、本実施形態によるエンカプスレーションを実行する手段を有する。
【００３２】
特に、ルートＩＰＥは、時間スライス設備を規定する手段を有する。自分のダウンストリームＩＰＥにスロットを割り当てる。また、時間スロットにデータを挿入する手段も有する。
【００３３】
リーフＩＰＥは、アロケーションされた時間スロットにデータを挿入する手段を有する。
【００３４】
ブランチＩＰＥは、アロケーションされた時間スロットにデータを挿入する手段と、自分のダウンストリームＩＰＥに、自分のアップストリームＩＰＥから受信した時間スロットから、時間スロットを割り当てる手段とを有する。
【００３５】
ＩＰＥ間のシグナリングは、ＥＮ  ３０１  １９２で規定されているＩＰ／ＭＡＣ通知テーブル（ＩＮＴ）で行う。ＩＮＴは、ＤＶＢネットワーク内のＩＰ／ＭＡＣストリームの位置に関する情報を担っている。この情報は、ＩＰ／ＭＡＣストリームの利用可能性と位置とを記述している。ＩＮＴは、「時間スライス及びＦＥＣ」識別子記述子を含み、これはオペレーショナル＿記述子＿ループにある。この記述子を用いて、予約したダウンストリームＩＰＥスーパー時間スライスを拘束する。
【００３６】
第１のシグナリング方法では、アップストリームＩＰＥが、ＥＮ  ３０１  １９２のセクションＩＰ／ＭＡＣ通知テーブルに応じて、ダウンストリームＩＰＥのために予約したスーパー時間スライスとフィットさせるために、必要なだけ多くの連続的な時間スライスを予約する。連続的な複数の時間スライスのセットは、ＩＮＴエントリーのセットに相当する。各エントリーにおいて、ＩＰ／ＭＡＣ通知テーブルの目標＿ＩＰ＿アドレス＿記述子は、１つのダウンストリームＩＰＥまたはダウンストリームＩＰＥのグループのＩＰアドレスに対応する。目標＿シリアル＿ナンバー＿記述子の値は、スーパー時間スライスの各時間スライスで異なる。２つの連続的な時間スライスの目標＿シリアル＿ナンバー＿記述子は、連続的な値である。スーパー時間スライスを形成する連続的な時間スライスと同じ数の対応するＤＶＢ−ＴＳ  ＰＩＤがあってもよい。
【００３７】
スーパー時間スライスは、１つのダウンストリームＩＰＥだけにより使用されても、複数のダウンストリームＩＰＥのセットにより使用されてもよい。複数のＩＰＥのセットが使用するとき、専用のＩＰマルチキャストグループアドレスを用いる。すなわち、複数の目標＿ＩＰ＿アドレス＿記述子フィールドを用いる。
【００３８】
ＩＮＴは、最初にアップストリームＩＰＥにより生成され、予約したスロットがあることを示す。ダウンストリームＩＰＥは、自分のアドレスまたは周知の専用マルチキャストＩＰアドレスを含む目標＿ＩＰ＿アドレス＿記述子に基づき、予約したスロットを見る。ダウンストリームＩＰＥは、コンテンツを挿入してＩＮＴを変更する。自分のアドレスまたは周知の専用マルチキャストＩＰアドレスに対応する目標＿ＩＰ＿アドレス＿記述子エントリーを削除する。
【００３９】
第２のシグナリング方法によると、スーパー時間スライスに対応する唯一の時間スライスを予約する。これは、ＩＮＴ中にエントリーを１つだけ規定することである。ＥＴＳＩ  ＥＮ  ３０１  １９２の「時間スライス及びＦＥＣ識別子記述子」は、フレーム＿サイズ、最大＿平均＿レート、及び最大＿バースト＿継続期間のパラメータ値を規定する。フレームサイズは３ビットで符号化され、２ビットだけが標準で用いられる。本実施形態では、予約した値４乃至７を用いて、最大バーストサイズの値を、より多くすることが可能である。同様に、最大＿平均＿レートパラメータの予約値を用いて、平均レートの値を、より多くすることが可能である。
【００４０】
最大＿バースト＿継続期間は８ビット値であり、約５秒までのバースト継続期間をシグナリングできる。これはスーパー時間スライスすなわちスーパーバーストにとっては十分ではない。分解能は標準では２０ｍｓである。本実施形態では、スーパーバーストの分解能は１００ｍｓに設定されている。もちろん、２０ｍｓより高い他の値に設定することもできる。アップストリームＩＰＥは、予約したスーパー時間スライスに関連するフレーム＿サイズと最大＿平均＿レートのパラメータを更新する。アップストリームＩＰＥは、ＭＰＥパケットを計算し、予約したスロットにデータを入れないで（not  filled）送信する。
ダウンストリームＩＰＥは、「時間スライス及びＦＥＣ識別子記述子」パラメータを無視して、ＥＴＳＩ  ＥＮ  ３０１  １９２標準の「リアルタイムパラメータ」セクションで規定された時間スライスパラメータを見る（rely  on）。特に、ＭＰＥセクションヘッダ内にあるΔｔ値とフレーム境界フラグとを見る。
【００４１】
一般的に、ダウンストリームＩＰＥはそれにアロケーションされた帯域幅を知っているはずであることと、バッテリを節約することはＩＰＥの優先項目ではないこととを考えると、後者は、ＩＮＴテーブルによって、自分のスーパー時間スライス（すなわちスーパーバースト）に対応するパケット識別子（ＰＩＤ）を有する第１のＭＰＥＧ  ＴＳパケットを検出するまで、受信する（incoming）ＤＶＢ−Ｈストリームを常に聞いていてもよい。検出すると、挿入する自分のローカルＴＶ番組をトランスポートする自分のＭＰＥＧ  ＴＳパケットとの置換をすぐに開始する。
【００４２】
ブランチＩＰＥ２．０を図６に示す。ブランチＩＰＥは、ＤＶＢ−Ｈストリームに挿入するＩＰストリームを受信する第１の通信モジュール２．１を有する。また、ＤＶＢ−Ｈ配信ネットワークにおいてＤＶＢ−Ｈストリームを送受信する第２の通信モジュール２．２を有する。通信モジュールはＤＶＢ−Ｈ標準に準拠している。ブランチＩＰＥは、コンテンツの時間スロットへのローカル挿入を管理するように構成された挿入モジュール２．３を有する。ブランチＩＰＥは、上記の通りダウンストリームＩＰＥの時間スロットの割り当てを管理するように構成されたスロット管理モジュール２．４を有する。また、ブランチＩＰＥは、上記の通りダウンストリームＩＰＥへのシグナリングを実行するように構成されたシグナリングモジュール２．５を有する。
【００４３】
リーフＩＰＥとルートＩＰＥは示していない。これらは、ブランチＩＰＥと同じモジュールを有するが、次の差異がある。リーフＩＰＥはブランチＩＰＥのシグナリングモジュールを有さない。ルートＩＰＥは、通信モジュールが、ＤＶＢ−Ｈ配信ネットワークにおいてＤＶＢ−Ｈストリームを送信する手段を有するが、ＤＶＢ−Ｈストリームを受信する手段を有さない、ブランチＩＰＥである。
【００４４】
明細書、特許請求の範囲、及び図面に開示した内容（references）は、独立に設けることもできるし、適切に組み合わせて設けることもできる。必要に応じて、ハードウェア、ソフトウェア、またはこれらの組み合わせで機能を実施することができる。
【００４５】
本明細書において「一実施形態」とは、その実施形態に関して説明する具体的な機能、構造、特徴などが本発明の少なくとも１つの実施形態に含まれ得ることを意味している。本明細書ではいろいろな箇所で「一実施形態とは」と記載するが、必ずしも同じ実施形態を指すものではなく、別の、または代替的な実施形態は、必ずしも他の実施形態と互いに排他的なものではない。
【００４６】
特許請求の範囲に示す参照符号は例示であり、請求項の範囲を限定するものではない。
【図１】
2011524118.tif 000003
【図２】
2011524118.tif 000004
【図３】
2011524118.tif 000005
【図４】
2011524118.tif 000006
【図５】
2011524118.tif 000007
【図６】
2011524118.tif 000008
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
チャンネルにおいてバーストとしてコンテンツを送信するように構成された送信装置であって、前記チャンネルは複数のバーストを含み、１つのバーストは少なくとも１つの時間スロットを含み、
前記送信装置は、
第１のネットワークからコンテンツを受信する第１の通信手段と、
第２のネットワークに前記コンテンツを送信する第２の通信手段であって、前記コンテンツを前記チャンネルの前記バーストの少なくとも１つの時間スロットにより続けて送信する第２の通信手段と、
チャンネルと、前記チャンネルの前記バースト中の少なくとも１つの使っていない時間スロットとを、前記第２のネットワークにある少なくとも１つの第２の送信装置に割り当てるスロット管理手段であって、前記少なくとも１つの第２の送信装置はチャンネルにおいてバーストでコンテンツを送信するように構成されたスロット管理手段と、
前記少なくとも１つの第２の送信装置に前記チャンネルと前記使っていない時間スロットとを知らせるシグナリング手段とを有する、送信装置。
【請求項２】
チャンネルにおいてバーストとしてコンテンツを送信するように構成された送信装置であって、前記チャンネルは複数のバーストを含み、１つのバーストは少なくとも１つの時間スロットを含み、
前記送信装置は、
チャンネルにおけるバースト中にコンテンツを送信するように構成された第１の送信装置から、チャンネルと、前記チャンネルの前記バースト中の少なくとも１つの使っていない時間スロットとを割り当てられ、チャンネルにおけるバースト中にコンテンツを送信するように構成された少なくとも１つの第２の送信装置に、前記少なくとも１つの使っていない時間スロットの第１の部分を割り当てるスロット管理手段と、
前記少なくとも１つの第２の送信装置に、前記チャンネルと前記少なくとも１つの使っていない時間スロットの前記部分とを知らせるシグナリング手段と、
第１のネットワークから第１のコンテンツを受信する第１の通信手段と、
第２のネットワークに前記コンテンツを送信する第２の通信手段であって、前記コンテンツを前記少なくとも１つの時間スロットの第２の部分により送信する第２の通信手段と、を有する、送信装置。
【請求項３】
チャンネルにおいてバーストとしてコンテンツを送信するように構成された送信装置であって、前記チャンネルは複数のバーストを含み、１つのバーストは少なくとも１つの時間スロットを含み、
前記送信装置は、
第１の送信装置から、チャンネルと、前記チャンネルの前記バースト中の少なくとも１つの使っていない時間スロットとを割り当てられるスロット管理手段であって、前記第１の送信装置はチャンネルにおいてバーストでコンテンツを送信するように構成されたスロット管理手段と、
第１のネットワークから第１のコンテンツを受信する第１の通信手段と、
第２のネットワークに前記コンテンツを送信する第２の通信手段であって、前記コンテンツを前記少なくとも１つの時間スロットの第２の部分により送信する第２の通信手段と、を有する、送信装置。
【国際調査報告】
2011524118.tif 000009
2011524118.tif 000010
2011524118.tif 000011